【手続補正書】
【提出日】令和2年8月25日(2020.8.25)
【手続補正１】
【補正対象書類名】明細書
【補正対象項目名】０１３３
【補正方法】変更
【補正の内容】
【０１３３】
本発明のある特定の実施形態が説明されてきたが、他の実施形態も存在し得る。本明細書は詳細な説明を含むが、本発明の範囲は以下の特許請求の範囲によって示される。さらに、本明細書は、構造的特徴および／または方法的作用に特異的な言語で記載されているが、特許請求の範囲は、上述の特徴または作用に限定されない。むしろ、上記の特定の特徴および行為は、本発明の例示的な態様および実施形態として開示される。様々な他の態様、実施形態、修正、およびそれらの等価物は、本明細書の説明の読後、本発明の主旨または特許請求される主題の範囲から逸脱することなく当業者には連想され得る。
以下、本発明の実施形態の例を列記する。
［１］
表面を処理するための組成物であって、前記組成物は、
（ａ）１〜３０重量％の一つ又は複数のアミノ酸、
（ｂ）０．１〜３０重量％の一つ又は複数の界面活性剤、および
（ｃ）任意に一つ又は複数のヒドロトロープ、を含み、
前記組成物は、アルカノールアミンを含まない、組成物。
［２］
前記一つ又は複数のアミノ酸が、アルギニン（「ＡＲＧ」）、リジン（「ＬＹＳ」）、ヒスチジン（「ＨＩＳ」）、グリシン（「ＧＬＹ」）、またはそれらの組み合わせから選択される、項目１に記載の組成物。
［３］
前記組成物が、アニオン性洗剤ビルダーを含まない、項目１に記載の組成物。
［４］
マグネシウムをさらに含む、項目１に記載の組成物。
［５］
前記一つ又は複数のアミノ酸が、リジン（「ＬＹＳ」）を含む、項目１に記載の組成物。
［６］
前記一つ又は複数のアミノ酸が、少なくとも９０重量％のリジン（「ＬＹＳ」）を含む、項目１〜５のいずれか一項に記載の組成物。
［７］
前記組成物が、約１２〜３０重量％の前記一つ又は複数のアミノ酸を含む、項目１〜６のいずれか一項に記載の組成物。
［８］
前記組成物が、０．１〜５重量％の前記一つ又は複数の界面活性剤を含む、項目１〜７のいずれか一項に記載の組成物。
［９］
前記一つ又は複数の界面活性剤が、非イオン性界面活性剤を含む、項目１〜８のいずれか一項に記載の組成物。
［１０］
前記一つ又は複数の界面活性剤が、低発泡性界面活性剤から成る、項目１〜９のいずれか一項に記載の組成物。
［１１］
前記一つ又は複数の界面活性剤が、アルコキシル化アルコールを含む、項目１〜１０のいずれか一項に記載の組成物。
［１２］
前記一つ又は複数の界面活性剤が、アニオン性界面活性剤を含む、項目１〜８および１０のいずれか一項に記載の組成物。
［１３］
前記アニオン性界面活性剤が、サルフェートまたはスルホネートを含む、項目１２に記載の組成物。
［１４］
前記一つ又は複数の界面活性剤が、アミンオキシド、双性イオン性界面活性剤、または両性界面活性剤を含む、項目１〜８のいずれか一項に記載の組成物。
［１５］
前記組成物が、０．１〜１２重量％の前記一つ又は複数のヒドロトロープを含む、項目１〜１４のいずれか一項に記載の組成物。
［１６］
前記一つ又は複数のヒドロトロープが、芳香族スルホネートを含む、項目１〜１５のいずれか一項に記載の組成物。
［１７］
前記一つ又は複数のヒドロトロープが、キシレンスルホン酸ナトリウムを含む、項目１６に記載の組成物。
［１８］
前記組成物が、グリースを表面から除去するのに効果的である、項目１〜１７のいずれか一項に記載の組成物。
［１９］
前記組成物が、表面に適用された床仕上げ材を軟化するのに効果的である、項目１〜１８のいずれか一項に記載の組成物。
［２０］
前記組成物が、床仕上げ材を表面から除去するのに効果的である、項目１〜１９のいずれか一項に記載の組成物。
［２１］
前記組成物が、汚れを硬質表面から除去するのに効果的である、項目１〜２０のいずれか一項に記載の組成物。
［２２］
前記組成物が、織物から汚れを除去するのに効果的である、項目１〜２１のいずれか一項に記載の組成物。
［２３］
約５０〜９９重量％の水をさらに含む、項目１〜２２のいずれか一項に記載の組成物。
［２４］
キレート剤、有機溶媒、消毒剤、抗菌剤、マグネシウム、染料、香料、レオロジー、ｐＨ調整剤、防腐剤、加工助剤、腐食防止剤、または他の機能性成分から選択される追加の作用剤をさらに含む、項目１〜２３のいずれか一項に記載の組成物。
［２５］
前記組成物が、固体の濃縮物として調合され、前記組成物が、ビルダー、充填剤、凝固剤、硬化剤、またはそれらの組み合わせをさらに含む、項目１〜２４のいずれか一項に記載の組成物。
［２６］
前記組成物が、約９〜約１１のｐＨを有する、項目１〜２５のいずれか一項に記載の組成物。
［２７］
前記組成物が、第１のアミン基のｐＫａと第２のアミン基のｐＫａとの間に設定されたｐＨを有する、項目１〜２６のいずれか一項に記載の組成物。
［２８］
前記組成物が、アルキルカルボキシレートを含まない、項目１〜２７のいずれか一項に記載の組成物。
［２９］
前記組成物が、アルキルカルボキシレートを含み、前記アミノ酸およびアルキルカルボキシレートが少なくとも１．２：１のモル比で存在する、項目１〜２８のいずれか一項に記載の組成物。
［３０］
前記組成物が、遊離脂肪酸を含まない、項目１〜２９のいずれか一項に記載の組成物。
［３１］
前記組成物が、リジン、アニオン性スルホネート界面活性剤を含み、アルキルカルボキシレート界面活性剤を含まず、有効量のマグネシウムを含有する、項目１に記載の組成物。
［３２］
前記組成物が、シリケート、ホスフェート、アミノカルボキシレート、およびポリホスフェートを含まない、項目３１に記載の組成物。
［３３］
有機溶媒をさらに含む、項目１〜３２のいずれか一項に記載の組成物。
［３４］
前記有機溶媒が、ベンジルアルコールである、項目３３に記載の組成物。
［３５］
表面を洗浄する方法であって、前記方法は、
ａ．洗浄組成物を前記表面に適用することであって、前記洗浄組成物が、約０．１〜５０重量％の項目１〜３４のいずれか一項に記載の組成物と、約５０〜約９９．９重量％の水とを含む、適用することと、
ｂ．前記洗浄組成物を前記表面上に一定時間残るようにすることと、
ｃ．前記洗浄組成物を前記表面から除去することと、を含む、方法。
［３６］
硬質表面を洗浄する方法であって、前記方法は、
ａ．前記硬質表面に洗浄組成物を適用することであって、前記洗浄組成物が、
ｉ．約０．１〜８重量％の一つ又は複数のアミノ酸、
ｉｉ．約０．１〜５重量％のアニオン性界面活性剤、
ｉｉｉ．約０．０２〜０．４重量％のマグネシウム塩、および
ｉｖ．水を含み、
前記組成物が、アルカノールアミンを含まない、適用することと、
ｂ．前記洗浄組成物を前記硬質表面上に一定時間残るようにすることと、
ｃ．前記洗浄組成物を前記表面から除去することと、を含む、方法。
［３７］
前記一つ又は複数のアミノ酸が、リジンを含む、項目３６に記載の方法。
［３８］
前記洗浄組成物が、注ぐか、スプレーするか、モップをかけるか、または布切れで拭くことにより適用される、項目３６または３７に記載の方法。
［３９］
前記一定時間の長さが、約１秒〜３０分である、項目３６〜３８のいずれか一項に記載の方法。
［４０］
前記洗浄組成物が、すすぐか、拭くか、または擦ることのうちの１つにより除去される、項目３６〜３９のいずれか一項に記載の方法。
［４１］
床表面を洗浄する方法であって、前記方法は、
ａ．洗浄濃縮物を水で希釈して使用溶液を形成することであって、前記洗浄濃縮物が、
ｉ．約６〜３０重量％の一つ又は複数のアミノ酸、
ｉｉ．約２〜１０重量％の一つ又は複数の非イオン性界面活性剤、および
ｉｉｉ．最大約１０重量％の共界面活性剤を含み、
前記洗浄濃縮物が、アルカノールアミンを含まない、希釈することと、
ｂ．前記使用溶液を前記床表面に適用することと、
ｃ．前記使用溶液を前記床表面上に一定時間残るようにすることと、を含む、方法。
［４２］
前記一つ又は複数のアミノ酸が、リジンを含む、項目４１に記載の方法。
［４３］
前記床表面が、アクリル系研磨剤で処理される、項目４１または４２のいずれか一項に記載の方法。
［４４］
前記床表面が、切り石タイルまたはコンクリートを含む、項目４１〜４３のいずれか一項に記載の方法。
［４５］
前記非イオン性界面活性剤が、非発泡性または低発泡性である、項目４１〜４４のいずれか一項に記載の方法。
［４６］
前記床表面をつや出しすることをさらに含む、項目４１〜４５のいずれか一項に記載の方法。
［４７］
前記床表面を再仕上げすることをさらに含む、項目４１〜４６のいずれか一項に記載の方法。
［４８］
表面を脱脂する方法であって、前記方法は、
ａ．前記表面に脱脂組成物を適用することであって、前記脱脂組成物が、
ｉ．約６〜約２４重量％の一つ又は複数のアミノ酸、
ｉｉ．約１〜約５重量％の一つ又は複数の界面活性剤、
ｉｉｉ．約２〜約８重量％の一つ又は複数のヒドロトロープ、
ｉｖ．約４〜約８重量％の、アルコール官能基を有する一つ又は複数の溶媒、および
ｖ．水を含む、適用することと、
ｂ．前記脱脂組成物を前記表面上に一定時間残るようにすることと、
ｃ．前記表面を拭くか、またはすすぐことと、を含む、方法。
【手続補正２】
【補正対象書類名】特許請求の範囲
【補正対象項目名】全文
【補正方法】変更
【補正の内容】
【特許請求の範囲】
【請求項１】
表面を処理するための組成物であって、前記組成物は、
（ａ）１〜３０重量％の一つ又は複数のアミノ酸、
（ｂ）０．１〜３０重量％の一つ又は複数の界面活性剤、および
（ｃ）任意に一つ又は複数のヒドロトロープ、を含み、
前記組成物は、アルカノールアミンを含まない、組成物。
【請求項２】
前記一つ又は複数のアミノ酸が、アルギニン（「ＡＲＧ」）、リジン（「ＬＹＳ」）、ヒスチジン（「ＨＩＳ」）、グリシン（「ＧＬＹ」）、またはそれらの組み合わせから選択される、請求項１に記載の組成物。
【請求項３】
前記組成物が、アニオン性洗剤ビルダーを含まない、請求項１に記載の組成物。
【請求項４】
マグネシウムをさらに含む、請求項１に記載の組成物。
【請求項５】
前記一つ又は複数のアミノ酸が、リジン（「ＬＹＳ」）を含む、請求項１に記載の組成物。
【請求項６】
前記一つ又は複数のアミノ酸が、少なくとも９０重量％のリジン（「ＬＹＳ」）を含む、請求項１〜５のいずれか一項に記載の組成物。
【請求項７】
前記組成物が、約１２〜３０重量％の前記一つ又は複数のアミノ酸を含む、請求項１〜６のいずれか一項に記載の組成物。
【請求項８】
前記一つ又は複数の界面活性剤が、非イオン性界面活性剤を含む、請求項１〜７のいずれか一項に記載の組成物。
【請求項９】
前記一つ又は複数の界面活性剤が、アルコキシル化アルコールを含む、請求項１〜８のいずれか一項に記載の組成物。
【請求項１０】
前記一つ又は複数の界面活性剤が、アニオン性界面活性剤を含む、請求項１〜７および９のいずれか一項に記載の組成物。
【請求項１１】
前記組成物が、０．１〜１２重量％の前記一つ又は複数のヒドロトロープを含む、請求項１〜１０のいずれか一項に記載の組成物。
【請求項１２】
前記一つ又は複数のヒドロトロープが、キシレンスルホン酸ナトリウムを含む、請求項１１に記載の組成物。
【請求項１３】
前記組成物が、グリースを表面から除去するのに効果的である、請求項１〜１２のいずれか一項に記載の組成物。
【請求項１４】
前記組成物が、表面に適用された床仕上げ材を軟化するのに効果的である、請求項１〜１３のいずれか一項に記載の組成物。
【請求項１５】
前記組成物が、床仕上げ材を表面から除去するのに効果的である、請求項１〜１４のいずれか一項に記載の組成物。
【請求項１６】
前記組成物が、汚れを硬質表面から除去するのに効果的である、請求項１〜１５のいずれか一項に記載の組成物。
【請求項１７】
前記組成物が、織物から汚れを除去するのに効果的である、請求項１〜１６のいずれか一項に記載の組成物。
【請求項１８】
約５０〜９９重量％の水をさらに含む、請求項１〜１７のいずれか一項に記載の組成物。
【請求項１９】
前記組成物が、約９〜約１１のｐＨを有する、請求項１〜１８のいずれか一項に記載の組成物。
【請求項２０】
前記組成物が、第１のアミン基のｐＫａと第２のアミン基のｐＫａとの間に設定されたｐＨを有する、請求項１〜１９のいずれか一項に記載の組成物。
【請求項２１】
前記組成物が、アルキルカルボキシレートを含まない、請求項１〜２０のいずれか一項に記載の組成物。
【請求項２２】
前記組成物が、アルキルカルボキシレートを含み、前記アミノ酸およびアルキルカルボキシレートが少なくとも１．２：１のモル比で存在する、請求項１〜２１のいずれか一項に記載の組成物。
【請求項２３】
前記組成物が、遊離脂肪酸を含まない、請求項１〜２２のいずれか一項に記載の組成物。
【請求項２４】
前記組成物が、リジン、アニオン性スルホネート界面活性剤を含み、アルキルカルボキシレート界面活性剤を含まず、有効量のマグネシウムを含有する、請求項１に記載の組成物。
【請求項２５】
前記組成物が、シリケート、ホスフェート、アミノカルボキシレート、およびポリホスフェートを含まない、請求項２４に記載の組成物。
【請求項２６】
有機溶媒をさらに含む、請求項１〜２５のいずれか一項に記載の組成物。
【請求項２７】
表面を洗浄する方法であって、前記方法は、
ａ．洗浄組成物を前記表面に適用することであって、前記洗浄組成物が、約０．１〜５０重量％の請求項１〜２６のいずれか一項に記載の組成物と、約５０〜約９９．９重量％の水とを含む、適用することと、
ｂ．前記洗浄組成物を前記表面上に一定時間残るようにすることと、
ｃ．前記洗浄組成物を前記表面から除去することと、を含む、方法。
【請求項２８】
硬質表面を洗浄する方法であって、前記方法は、
ａ．前記硬質表面に洗浄組成物を適用することであって、前記洗浄組成物が、
ｉ．約０．１〜８重量％の一つ又は複数のアミノ酸、
ｉｉ．約０．１〜３０重量％のアニオン性界面活性剤、
ｉｉｉ．約０．３〜２重量％のマグネシウム塩、および
ｉｖ．水を含み、
前記組成物が、アルカノールアミンを含まない、適用することと、
ｂ．前記洗浄組成物を前記硬質表面上に一定時間残るようにすることと、
ｃ．前記洗浄組成物を前記表面から除去することと、を含む、方法。
【請求項２９】
前記一つ又は複数のアミノ酸が、リジンを含む、請求項２８に記載の方法。
【請求項３０】
前記洗浄組成物が、注ぐか、スプレーするか、モップをかけるか、または布切れで拭くことにより適用される、請求項２８または２９に記載の方法。
【請求項３１】
前記一定時間の長さが、約１秒〜３０分である、請求項２８〜３０のいずれか一項に記載の方法。
【請求項３２】
前記洗浄組成物が、すすぐか、拭くか、または擦ることのうちの１つにより除去される、請求項２８〜３１のいずれか一項に記載の方法。
【請求項３３】
床表面を洗浄する方法であって、前記方法は、
ａ．洗浄濃縮物を水で希釈して使用溶液を形成することであって、前記洗浄濃縮物が、
ｉ．約６〜３０重量％の一つ又は複数のアミノ酸、
ｉｉ．約２〜３０重量％の一つ又は複数の非イオン性界面活性剤、および
ｉｉｉ．最大約１０重量％の共界面活性剤を含み、
前記洗浄濃縮物が、アルカノールアミンを含まない、希釈することと、
ｂ．前記使用溶液を前記床表面に適用することと、
ｃ．前記使用溶液を前記床表面上に一定時間残るようにすることと、を含む、方法。
【請求項３４】
前記一つ又は複数のアミノ酸が、リジンを含む、請求項３３に記載の方法。
【請求項３５】
前記床表面が、アクリル系研磨剤で処理される、請求項３３または３４のいずれか一項に記載の方法。
【請求項３６】
前記床表面が、切り石タイルまたはコンクリートを含む、請求項３３〜３５のいずれか一項に記載の方法。
【請求項３７】
前記床表面をつや出しすることをさらに含む、請求項３３〜３６のいずれか一項に記載の方法。
【請求項３８】
前記床表面を再仕上げすることをさらに含む、請求項３３〜３７のいずれか一項に記載の方法。
【請求項３９】
表面を脱脂する方法であって、前記方法は、
ａ．前記表面に脱脂組成物を適用することであって、前記脱脂組成物が、
ｉ．約６〜約２４重量％の一つ又は複数のアミノ酸、
ｉｉ．約１〜約３０重量％の一つ又は複数の界面活性剤、
ｉｉｉ．約２〜約８重量％の一つ又は複数のヒドロトロープ、
ｉｖ．約４〜約８重量％の、アルコール官能基を有する一つ又は複数の溶媒、および
ｖ．水を含む、適用することと、
ｂ．前記脱脂組成物を前記表面上に一定時間残るようにすることと、
ｃ．前記表面を拭くか、またはすすぐことと、を含む、方法。